(57)【要約】【課題】使用者に対して、明るさ（光の強さ）を示す発電状況および蓄電された電力量を示す蓄電状況を確実かつ直感的に知らしめさせ、効率的かつ直感的な充電をおこなわせること。【解決手段】発電部３０１が、光を受光して発電し、蓄電部３０２が、発電部３０１によって発電された電力を蓄電し、計時部３０３が、蓄電部３０２によって蓄電された電力を用いて時刻を計時し、表示部３０４が、計時部３０３によって計時される時刻を表示し、制御部３００が、発電部３０１によって発電される電流を検出し、あらかじめ定められた複数の段階のうち、検出された電流の電流量に応じた段階を決定する。そして、表示部３０４が、操作指示があった場合に、制御部３００によって決定された段階に基づいて、発電部３０１による発電状況と、蓄電部３０２の蓄電状況を表示するにあたり、発電状況または蓄電状況のうちの一方の表示に先だって、他方を表示する。【選択図】図３
2018100981.tif 000002
【特許請求の範囲】
【請求項１】
光を受光して発電する発電部と、
前記発電部によって発電された電力を蓄電する蓄電部と、
前記蓄電部によって蓄電された電力を用いて時刻を計時する計時部と、
前記計時部によって計時される時刻を表示する表示部と、
前記発電部によって発電される電流を検出し、あらかじめ定められた複数の段階のうち、検出された電流の電流量に応じた段階を決定する制御部と、を備え、
前記表示部は、操作指示があった場合に、前記制御部によって決定された段階に基づいて、前記発電部による発電状況と、前記蓄電部の蓄電状況を表示するにあたり、前記発電状況または前記蓄電状況のうちの一方の表示に先だって、他方を表示する
ことを特徴とする電子機器。
【請求項２】
前記表示部は、前記発電状況の表示に先だって、前記蓄電状況を表示する
ことを特徴とする請求項１に記載の電子機器。
【請求項３】
前記発電状況の表示を行う領域と、前記蓄電状況の表示を行う領域が、異なる領域である
ことを特徴とする請求項１または２に記載の電子機器。
【請求項４】
前記表示部は、複数の指針を備え、
前記複数の指針を用いて、前記発電状況と前記蓄電状況を表示する
ことを特徴とする請求項１〜３のいずれか一つに記載の電子機器。
【請求項５】
前記複数の指針のうち、
前記蓄電状況の表示に用いた指針は、前記蓄電状況の表示を継続し、
他の指針が、前記発電状況の表示を実施する
ことを特徴とする請求項４に記載の電子機器。
【請求項６】
前記発電状況の表示領域へ前記指針が移動する移動方向と、前記蓄電状況の表示領域へ前記指針が移動する移動方向が、互いに異なる
ことを特徴とする請求項４または５に記載の電子機器。
【発明の詳細な説明】
【技術分野】
【０００１】
この発明は、ソーラーセルや二次電池を備えた電子機器に関する。
【背景技術】
【０００２】
従来、電波修正時計などのように、標準電波やＧＰＳ信号を含む電波を受信して、受信した電波に基づいて、自機器が示す日時を、原子時計が計時する日時に修正する電子機器がある。このような電子機器には、受光した光により発電するソーラーセルや、ソーラーセルにおいて発電された電力を蓄電する二次電池を備え、二次電池を電源として動作するものがある。
【０００３】
それらの従来のソーラーセルおよび二次電池を備えた電子機器の中でも、ＧＰＳ信号を含む電波を受信する機能を備えたものは、ＧＰＳ信号を含む電波を受信するのに多くの電力を消費する。そこで、そのような電子機器にあっては、多くの充電量を確保するために、従来から、使用者に対しての充電の告知として、できるだけ（強い）光が当たるところで充電してほしい旨を伝えて対応している。
【０００４】
また、従来、電子機器（電波腕時計）において、電波腕時計がおかれている環境が衛星からの電波の受信にどれほど適しているか、その受信環境を示す表示である受信環境表示部を備えている技術がある（たとえば、下記特許文献１を参照。）。この特許文献１に記載された従来の電子機器は、太陽電池に強い光があたり、発電量が高い状況は、日中の屋外や窓際など、直接衛星が見通せる環境にある可能性が高いことに基づいて、太陽電池からの発電量（又は出力電圧）に基づいて、受信環境を３段階で示している。
【先行技術文献】
【特許文献】
【０００５】
【特許文献１】特開２０１１−２０８９４６号公報
【発明の概要】
【発明が解決しようとする課題】
【０００６】
しかしながら、上記のような電波修正時計においては、使用者は、ＧＰＳ信号を含む電波の受信に必要な電力（蓄電量、発電量）がどのくらいなのかを把握することはできなかった。そのため、充電される環境によっては、充電に必要な時間が大きくなってしまう場合があり、ＧＰＳ信号を含む電波の受信が確実に実行できず、使用者の意志どおりに時刻修正処理ができない場合があった。また、上記のような電波修正時計において、充電の告知以外に、より短時間で充電をしてもらうことができるような環境を使用者に探してもらう術がなかった。
【０００７】
この発明は、上述した従来技術による問題点を解消するため、電波の受信をおこなうために必要な電力を効率的かつ確実に充電させることが可能な電子機器を提供することを目的とする。
【課題を解決するための手段】
【０００８】
上述した課題を解決し、目的を達成するため、この発明にかかる電子機器は、光を受光して発電する発電部と、前記発電部によって発電された電力を蓄電する蓄電部と、前記蓄電部によって蓄電された電力を用いて時刻を計時する計時部と、前記計時部によって計時される時刻を表示する表示部と、を備えた電子機器であって、前記発電部によって発電される電流を検出し、あらかじめ定められた複数の段階のうち、検出された電流の電流量に応じた段階を決定する制御部を備え、前記表示部が、操作指示があった場合に、前記制御部によって決定された段階に基づいて、前記発電部による発電状況を表示することを特徴とする。
【０００９】
また、この発明にかかる電子機器は、上記発明において、前記表示部が、前記時刻を表示する、同じ軸を中心として回動する複数の指針を備えており、検出された電流の電流量に応じた段階に対応する所定の位置へ、当該複数の指針のうちの少なくともいずれかの指針を移動させることによって、前記発電状況を表示することを特徴とする。
【００１０】
また、この発明にかかる電子機器は、上記発明において、前記表示部が、前記複数の指針のうちの少なくとも２つの指針を前記所定の位置へ移動させて重ねることによって、前記発電状況を表示することを特徴とする。
【００１１】
また、この発明にかかる電子機器は、上記発明において、前記表示部が、前記複数の指針のうちの少なくとも２つの指針を前記所定の位置とは別の位置において重ねた後、当該別の位置から重ねた状態で当該所定の位置へ移動させることによって、前記発電状況を表示することを特徴とする。
【００１２】
また、この発明にかかる電子機器は、上記発明において、前記別の位置が、前記表示部の表示面のうち、前記重ねられた指針が、光を受光する受光領域と重ならない領域に設けることを特徴とする。
【００１３】
また、この発明にかかる電子機器は、上記発明において、前記発電状況を表示する少なくとも２つの指針が、互いに重なることによって所定の形状を形成することを特徴とする。
【００１４】
また、この発明にかかる電子機器は、上記発明において、前記表示部が、前記発電状況を表示する指針の前記所定の位置への移動を、前記制御部によって検出された電流の電流量に応じた移動速度によっておこなわせることを特徴とする。
【００１５】
また、この発明にかかる電子機器は、上記発明において、前記表示部が、前記蓄電部の蓄電状況を表示する、前記発電状況を表示する指針とは別の軸により回動する別の指針を備えており、前記所定の位置が、前記発電状況を表示する指針が、前記別の指針による表示領域と重ならない領域に設けることを特徴とする。
【００１６】
また、この発明にかかる電子機器は、上記発明において、前記所定の位置が、検出された電流の電流量が小さい段階から大きい段階へ所定の回動方向に順次設けられ、前記表示部が、前記別の指針を、前記蓄電部における蓄電量が大きい段階から小さい段階へ前記所定の回動方向と同じ方向に順次設けられた位置へ移動させることにより、前記蓄電部の蓄電状況を表示することを特徴とする。
【００１７】
また、この発明にかかる電子機器は、上記発明において、前記表示部が、前記発電状況を表示する指針を所定の方向に回動して前記所定の位置へ移動させることによる前記発電状況の表示に先だって、当該指針を当該所定の方向とは逆の方向に回動して当該所定の位置とは異なる位置へ移動させることによって、前記蓄電部の蓄電状況を表示することを特徴とする。
【００１８】
また、この発明にかかる電子機器は、上記発明において、電波を受信する受信部を備え、前記制御部が、決定した前記段階が所定の段階である場合に、前記受信部による電波の受信処理をおこなうことを特徴とする。
【００１９】
また、この発明にかかる電子機器は、上記発明において、電波を受信する受信部を備え、前記制御部が、決定した前記段階が所定の段階である場合に、前記受信部による電波の受信処理をおこない、前記所定の段階を示す所定の位置が、前記表示部の表示面のうち、前記受信部による電波の受信領域と重ならない領域に設けることを特徴とする。
また、この発明にかかる電子機器は、光を受光して発電する発電部と、前記発電部によって発電された電力を蓄電する蓄電部と、前記蓄電部によって蓄電された電力を用いて時刻を計時する計時部と、前記計時部によって計時される時刻を表示する表示部と、前記発電部によって発電される電流を検出し、あらかじめ定められた複数の段階のうち、検出された電流の電流量に応じた段階を決定する制御部と、を備え、前記表示部が、操作指示があった場合に、前記制御部によって決定された段階に基づいて、前記発電部による発電状況と、前記蓄電部の蓄電状況を表示するにあたり、前記発電状況または前記蓄電状況のうちの一方の表示に先だって、他方を表示することを特徴とする。
また、この発明にかかる電子機器は、上記発明において、前記表示部が、前記発電状況の表示に先だって、前記蓄電状況を表示することを特徴とする。
また、この発明にかかる電子機器は、上記発明において、前記発電状況の表示を行う領域と、前記蓄電状況の表示を行う領域が、異なる領域であることを特徴とする。
また、この発明にかかる電子機器は、上記発明において、前記表示部が、複数の指針を備え、前記複数の指針を用いて、前記発電状況と前記蓄電状況を表示することを特徴とする。
また、この発明にかかる電子機器は、上記発明において、前記複数の指針のうち、前記蓄電状況の表示に用いた指針が、前記蓄電状況の表示を継続し、他の指針が、前記発電状況の表示を実施することを特徴とする。
また、この発明にかかる電子機器は、上記発明において、前記発電状況の表示領域へ前記指針が移動する移動方向と、前記蓄電状況の表示領域へ前記指針が移動する移動方向が、互いに異なることを特徴とする。
【発明の効果】
【００２０】
この発明にかかる電子機器によれば、使用者に対して、明るさ（光の強さ）を示す発電量を直感的に知らしめさせ、効率的かつ直感的な充電をおこなわせることができるという効果を奏する。
【図面の簡単な説明】
【００２１】
【図１】この発明にかかる実施の形態の電子機器の一例である電波修正時計の外観を示す説明図である。
【図２】この発明にかかる実施の形態の電波修正時計のハードウエア構成を示す説明図である。
【図３】この発明にかかる実施の形態の電波修正時計の機能的構成を示す説明図である。
【図４】発電状況の表示にかかる制御部の処理手順を示すフローチャートである。
【図５】発電量レベルに関するテーブルの一例を示す説明図である。
【図６】この発明にかかる実施の形態の電波修正時計の発電状況表示の内容を示す説明図（その１）である。
【図７】この発明にかかる実施の形態の電波修正時計の発電状況表示の内容を示す説明図（その２）である。
【図８】この発明にかかる実施の形態の電波修正時計の発電状況表示の内容を示す説明図（その３）である。
【図９】この発明にかかる実施の形態の電波修正時計の発電状況表示の内容を示す説明図（その４）である。
【図１０】この発明にかかる実施の形態の電波修正時計のアンテナおよびソーラーセルと発電量表示部の配置の関係を示す説明図である。
【図１１】この発明にかかる実施の形態の電波修正時計の蓄電状況表示と発電状況表示との関係を示す説明図である。
【図１２】この発明にかかる実施の形態の電波修正時計の時刻指示針の形状の一例を示す説明図である。
【発明を実施するための形態】
【００２２】
以下に添付図面を参照して、この発明にかかる電子機器の好適な実施の形態を詳細に説明する。この発明にかかる実施の形態の電子機器として、電波修正時計への適用例について説明する。
【００２３】
（電波修正時計の構成）
まず、この発明にかかる実施の形態の電波修正時計の構成について説明する。図１は、この発明にかかる実施の形態の電子機器の一例である電波修正時計の外観を示す説明図である。図１において、この発明にかかる実施の形態の電波修正時計１００は、電波修正時計１００の外装をなすケース（外装ケース）１０１を備えている。ケース１０１は、たとえば、金属材料を用いて形成され、両端が開口した略円筒形状をなす。
【００２４】
略円筒形状をなすケース１０１の一端側（表側）には、当該表側の開口を閉塞する風防ガラス１０２と、当該風防ガラス１０２の周縁を支持するベゼル１０３と、が設けられている。風防ガラス１０２は、たとえば、透明なガラス材料を用いて形成され、略円板形状をなす。ベゼル１０３は、たとえば、金属材料を用いて形成され、風防ガラス１０２の直径と略同一の内径の環形状をなす。
【００２５】
ケース１０１の他端側（裏側）には、当該裏側の開口を閉塞する裏蓋部材が設けられている。裏蓋部材は、たとえば、金属材料を用いて形成することができる。あるいは、裏蓋部材は、プラスチックなどと称される高分子材料を用いて形成されていてもよい。裏蓋部材は、スクリューバック方式、はめ込み方式、ネジ蓋方式など、公知の各種の技術を用いることによってケース１０１に取り付けることができる。ケース１０１に対する裏蓋部材の取り付け方法については、公知の各種の技術を用いて容易に実現可能であるため、説明を省略する。
【００２６】
ケース１０１の形状は、上記に限るものではない。ケース１０１は、少なくとも軸心方向における表側に開口を備えていればよい。この発明にかかる実施の形態の電波修正時計１００においては、ケース１０１と裏蓋部材とが一体とされた、いわゆるワンピース構造によってケース１０１の裏側を閉塞する構成であってもよい。
【００２７】
ケース１０１には、操作部１０４が設けられている。操作部１０４は、たとえば、竜頭や操作ボタンなどによって実現することができる。操作部１０４は、使用者による操作を受け付けた場合、操作内容に応じた信号を制御回路（図２を参照）に対して出力する。制御回路は、操作部１０４が受け付けた操作入力の内容に応じて、衛星信号の受信処理などの処理を実行する。
【００２８】
ケース１０１の内側には、文字板１０５が設けられている。文字板１０５には、時刻指示針１０６の位置すなわち時刻を示すインデックス（指標）１０７が設けられている。時刻指示針１０６は、文字板１０５に設けられ、具体的には、たとえば、時針１０６ａ、分針１０６ｂ、秒針１０６ｃなどによって実現することができる。
【００２９】
時刻指示針１０６は、文字板１０５の中心を回転中心として回転可能な状態で文字板１０５に設けられている。時刻指示針１０６は、たとえば、金属材料を用いて形成することができる。時刻指示針１０６は、金属材料を用いて形成されるものに限らず、たとえば、プラスチックなどと称される高分子材料を用いて形成してもよい。
【００３０】
インデックス１０７は、時刻指示針１０６の軸心を中心とする円周上に配置されている。インデックス１０７は、たとえば、文字、数字、記号などによって実現することができる。インデックス１０７は、文字、数字、記号に限るものではなく、たとえば、文字板１０５に設けられた突起によって実現してもよい。この発明にかかる実施の形態の電波修正時計１００において、インデックス１０７は、たとえば、金属材料を用いて形成することができる。インデックス１０７は、文字板１０５にプリントされたものであってもよいし、金属などの別部材を設けることによって実現されるものであってもよい。
【００３１】
この発明にかかる実施の形態の電波修正時計１００において、インデックス１０７は、時刻指示針１０６の回転中心を中心とする同一円周上に配置することができる。この場合、たとえば、各インデックス１０７は、時刻指示針１０６の回転範囲、すなわち、時刻指示針１０６が回転することによる当該時刻指示針１０６の先端の軌跡がなす円よりも、少なくとも一部が外周側に位置するように配置することができる。
【００３２】
インデックス１０７は、すべてのインデックス１０７が、時刻指示針１０６の回転中心を中心とする同一円周上に配置されるものに限らない。この発明にかかる実施の形態の電波修正時計１００において、インデックス１０７は、たとえば、少なくとも一部のインデックス１０７が時刻指示針１０６の回転範囲内に配置され、別の一部のインデックス１０７が時刻指示針１０６の回転範囲よりも外周側に配置されるものであってもよい。
【００３３】
また、文字板１０５には、アンテナによる衛星信号の受信制御に関する情報を表示するためのマーカー１０８が配置されている。マーカー１０８は、たとえば、衛星信号の受信中であることを示す「ＲＸ」や、アンテナによる衛星信号の受信処理の成否を示す「ＮＯ」や「ＯＫ」などの文字列によって実現することができる。各マーカーは、時刻指示針１０６のいずれか（たとえば時針１０６ｃ）がそれぞれに位置を指し示すことによって各情報を表示する。また、図示を省略するが、マーカー１０８の専用の指示針を設けてもよい。
【００３４】
ケース１０１と裏蓋部材と文字板１０５とによって囲まれる空間には、時刻指示針１０６を回転駆動する輪列やモータ（いずれも図示を省略する）などによって構成される駆動機構（図２を参照）が設けられている。時刻指示針１０６は、輪列を介してモータに連結されており、当該モータの駆動力を受けて回転する。電波修正時計１００は、文字板１０５の表面側において、駆動機構によって時刻指示針１０６を回転駆動し、インデックス１０７に対する時刻指示針１０６の位置によって、現在の時刻をアナログ表示する。電波修正時計１００においては、文字板１０５、時刻指示針１０６、インデックス１０７、輪列、モータなどによって時刻表示部１０９が構成される。
【００３５】
また、文字板１０５には、インジケーター１１０が設けられている。インジケーター１１０は、電源（二次電池、図２を参照）の電圧値を示す目盛り１１１によって区分される、複数の区間表示部１１２（１１２ａ〜１１２ｅ）を備えている。これによって、インジケーター１１０は、蓄電状況を表示する。具体的には、インジケーター１１０は、たとえば、ＢＤ３（たとえば、３．６Ｖ）以上であってＢＤ７（たとえば、４．０Ｖ）以下の範囲における電圧値を、０．１Ｖごとに区分した複数の区間表示部１１２（１１２ａ〜１１２ｅ）を備えている。
【００３６】
複数の区間表示部１１２（１１２ａ〜１１２ｅ）は、それぞれ、「ＣＨＧ」、「Ｌ１」、「Ｌ２」、「Ｌ３」、「Ｌ４」の電圧レベルに対応している。インジケーター１１０において、各区間表示部１１２（１１２ａ〜１１２ｅ）は、時刻指示針１０６の通常の状態における回動方向（時計回り方向）において、上流側から、「Ｌ４」、「Ｌ３」、「Ｌ２」、「Ｌ１」、「ＣＨＧ」の順で配置されている。
【００３７】
インジケーター１１０は、電源の電圧値がＢＤ４（たとえば、３．７Ｖ）を下回る範囲、すなわち、ＢＤ０（たとえば、３．３Ｖまたは３．３Ｖ以下）、ＢＤ１（たとえば、３．４Ｖ）、ＢＤ２（たとえば、３．５Ｖ）、ＢＤ３（たとえば、３．６Ｖ）である場合、機能指示針１１３によって「ＣＨＧ」の区間表示部１１２ｅを指し示す。より具体的には、電源の電圧値がＢＤ４を下回る範囲である場合、インジケーター１１０は、「ＣＨＧ」の区間表示部１１２ｅの下限に対応する目盛り１１１を、機能指示針１１３によって指し示す。
【００３８】
インジケーター１１０は、電源の電圧値がＢＤ４以上であってＢＤ５（たとえば、３．８Ｖ）を下回る場合、機能指示針１１３によって「Ｌ１」の区間表示部１１２ｄを指し示す。より具体的には、電源の電圧値がＢＤ４以上であってＢＤ５を下回る範囲である場合、インジケーター１１０は、「Ｌ１」の区間表示部１１２ｄの下限に対応し、区間表示部１１２ｄと区間表示部１１２ｅとの境界に位置する目盛り１１１を、機能指示針１１３によって指し示す。
【００３９】
インジケーター１１０は、電源の電圧値がＢＤ５以上であってＢＤ６（たとえば、３．９Ｖ）を下回る場合、機能指示針１１３によって「Ｌ２」の区間表示部１１２ｃを指し示す。より具体的には、電源の電圧値がＢＤ５以上であってＢＤ６を下回る範囲である場合、インジケーター１１０は、「Ｌ２」の区間表示部１１２ｃの下限に対応し、区間表示部１１２ｃと区間表示部１１２ｄとの境界に位置する目盛り１１１を、機能指示針１１３によって指し示す。
【００４０】
インジケーター１１０は、電源の電圧値がＢＤ６以上であってＢＤ７（たとえば、４．０Ｖ）を下回る場合、機能指示針１１３によって「Ｌ３」の区間表示部１１２ｂを指し示す。より具体的には、電源の電圧値がＢＤ６以上であってＢＤ７を下回る範囲である場合、インジケーター１１０は、「Ｌ３」の区間表示部１１２ｂの下限に対応し、区間表示部１１２ｂと区間表示部１１２ｃとの境界に位置する目盛り１１１を、機能指示針１１３によって指し示す。
【００４１】
インジケーター１１０は、電源の電圧値がＢＤ７以上である場合、機能指示針１１３によって「Ｌ４」の区間表示部１１２ａを指し示す。より具体的には、電源の電圧値がＢＤ７以上である場合、インジケーター１１０は、「Ｌ４」の区間表示部１１２ａの下限に対応し、区間表示部１１２ａと区間表示部１１２ｂとの境界に位置する目盛り１１１を、機能指示針１１３によって指し示す。
【００４２】
インジケーター１１０において、複数の区間表示部１１２（１１２ａ〜１１２ｅ）で表示される電源の電圧値の幅は、ほぼ同じ値に設定されている。この実施の形態におけるインジケーター１１０は、少なくとも、目盛り１１１によって区切られる区間表示部１１２ａ、１１２ｂ、１１２ｃ、１１２ｄは、電圧値の幅が同じ値に設定されている。各区間表示部１１２が表示する電源の電圧値の幅は、同じ値に（０．１Ｖ）に設定されている。
【００４３】
機能指示針１１３は、電源の電圧値に応じて変位し、電源の電圧値が、各区間表示部１１２に対応する電圧値以上の電圧値となった場合に、該当する区間表示部１１２（１１２ａ〜１１２ｅのいずれか）を指し示す。具体的には、たとえば、電源の電圧値が３．６９Ｖの場合、機能指示針１１３は、「ＣＨＧ」の電圧レベルに対応する区間表示部１１２ｅを指し示す。また、具体的には、たとえば、電源の電圧値が３．７１Ｖの場合、機能指示針１１３は、「Ｌ１」の電圧レベルに対応する区間表示部１１２ｄを指し示す。
【００４４】
「ＣＨＧ」の電圧レベルに対応する区間表示部１１２ｅは、残余の区間表示部１１２ａ〜１１２ｄとは異なる表示が設けられている。具体的には、たとえば、区間表示部１１２ｅは、残余の区間表示部１１２ａ〜１１２ｄとは異なる色のマーキングがなされている。これにより、インジケーター１１０は、機能指示針１１３により「ＣＨＧ」の区間表示部１１２ｅを指し示すことによって、容易かつ安価に電源（二次電池）の蓄電量が減少していることを案内し、積極的な蓄電（充電）を促すことができる。
【００４５】
インジケーター１１０を構成する機能指示針１１３は、曜日を示す機能指示針１１３（曜針）、サマータイムのＯＮ／ＯＦＦを示す機能指示針１１３としても機能する。また、図示は省略するが、機能指示針１１３は、２つ以上あってもよい。そして２つ以上の機能指示針１１３によって、蓄電状況、曜日、サマータイムのＯＮ／ＯＦＦなどの情報のうち機能指示針１１３の数と同数だけ、同時に表示するようにしてもよい。
【００４６】
また、インデックス１０７のうち、文字板１０５の略右半分には、発電量表示部１１４（１１４ａ〜１１４ｆ）を備えている。所定の操作によって、時刻指示針１０６が指し示した発電量表示部１１４（１１４ａ〜１１４ｆ）が位置によって、発電量を案内表示する。発電量の案内表示の詳細については後述する。
【００４７】
発電量表示部１１４は、後述する図５に示すように、発電量に応じて、レベル１（Ｌ１）〜レベル６（Ｌ６）の６段階の表示をインデックス１０７の数字に対応させておこなう。すなわち、レベル１（Ｌ１）が１時の位置（発電量表示部１１４ａ）となり、同様に、レベル２（Ｌ２）が２時の位置（発電量表示部１１４ｂ）、レベル３（Ｌ３）が３時の位置（発電量表示部１１４ｃ）、レベル４（Ｌ４）が４時の位置（発電量表示部１１４ｄ）、レベル５（Ｌ５）が５時の位置（発電量表示部１１４ｅ）、レベル６（Ｌ６）が６時の位置（発電量表示部１１４ｆ）となる。
【００４８】
このように、時字（時刻を示す数字）と発電レベルを示す数字とを共通化して用いている。このために、数字が多くなるほど、発電量が多くなると使用者に直感的に認識させることができる。また、発電レベルを示す数字は、時字と兼用することで省略してもよく、時字とは別に数字あるいは数字以外の記号などを設けてもよい。また、図１において、「７」〜「１２」の時字を設けてもよい。また、１１５は、０時から６時の位置にかけて文字板１０５の円周上を、時計回りに幅が徐々に太くなるようにした帯表示であり、この帯表示１１５により、幅が太いほど発電量が多いことを一目で分かるようにしている。この場合に、発電レベルを示す数字は設けなくてもよい。
【００４９】
（電波修正時計１００のハードウエア構成）
つぎに、この発明にかかる実施の形態の電波修正時計１００のハードウエア構成について説明する。図２は、この発明にかかる実施の形態の電波修正時計１００のハードウエア構成を示す説明図である。
【００５０】
図２において、この発明にかかる実施の形態の電波修正時計１００は、アンテナ２０１と、受信回路２０２と、制御回路２０３と、電源２０４と、昇圧部２０５と、ソーラーセル２０６と、発電検出制御部２０７と、検出用抵抗値２０８と、駆動機構２０９と、時刻表示部１０９と、スイッチ２１０と、スイッチ２１１と、を備えている。アンテナ２０１、受信回路２０２、制御回路２０３、電源２０４、昇圧部２０５、ソーラーセル２０６、発電検出制御部２０７、検出用抵抗値２０８、駆動機構２０９、時刻表示部１０９、スイッチ２１０、スイッチ２１１は、ケース１０１と裏蓋部材と文字板１０５とによって囲まれる空間内に設けられている。
【００５１】
アンテナ２０１は、ＧＰＳ（Ｇｌｏｂａｌ  Ｐｏｓｉｔｉｏｎｉｎｇ  Ｓｙｓｔｅｍ）衛星から送信される衛星信号を受信する。具体的には、アンテナ２０１は、たとえば、ＧＰＳ衛星から送信される、周波数約１．６ＧＨｚの電波を受信するパッチアンテナ２０１によって実現することができる。ＧＰＳ衛星は、それぞれ、地球の周回軌道を周回しており、高精度の原子時計を搭載し、当該原子時計によって計時された時刻情報を含んだ衛星信号を周期的に送信する。アンテナ２０１は、複数のＧＰＳ衛星から送信される衛星信号を受信する。
【００５２】
各ＧＰＳ衛星は、計２５フレーム（ページ）を１セットとする航法データを繰り返し送信している。各フレームは３０秒分の信号を含んでおり、ＧＰＳ衛星は、全２５フレームの信号を１２．５分周期で送信する。さらに、各フレームは、５個のサブフレームから構成される。１フレームが３０秒なので、１つのサブフレームは６秒分の信号に相当する。１つのサブフレームは、１０ワードから構成され、１ワード３０ビット、１サブフレーム全体で３００ビット分の情報を含んでいる。
【００５３】
各サブフレームの先頭ワード（第１ワード）は、ＴＬＭ（ＴｅＬｅＭｅｔｒｙ  ｗｏｒｄ）と称され、その先頭部分（すなわち、サブフレーム全体の先頭部分）には、当該サブフレームの開始位置を示すプリアンブルが含まれる。さらに各サブフレームの２番目のワード（第２ワード）は、ＨＯＷ（ＨａｎｄＯｖｅｒ  Ｗｏｒｄ）と称され、その先頭部分には、ＴＯＷ（Ｔｉｍｅ  Ｏｆ  Ｗｅｅｋ）と呼ばれる時刻情報が含まれている。
【００５４】
ＴＯＷは、週の始まり（日曜日の午前０：００）を起点としたＧＰＳ時刻を示す時刻情報である。電波修正時計１００は、１又は複数のＧＰＳ衛星からこのＴＯＷのデータを受信して、週番号ＷＮの情報と組み合わせることで、ＧＰＳ衛星によって計時されているＧＰＳ時刻を知ることができる。週番号ＷＮは、ＴＯＷにより表される時刻が属する週の番号を示す情報であって、週に１度、日曜日の午前０：００になるごとにカウントアップされる。週番号ＷＮの情報は、各フレームの第１サブフレーム内に格納されてＧＰＳ衛星から送信されている。
【００５５】
週番号ＷＮとＴＯＷのデータによって得られるＧＰＳ時刻は、協定世界時に対して、閏秒の累積によって生じた整数秒分のずれがある。ＧＰＳ衛星は、このずれを補正するために用いられる閏秒補正値ＬＳの情報も送信する。具体的に、閏秒補正値ＬＳの情報は、航法データのうち、第１８ページ目のフレームの第４サブフレームに格納されている。電波修正時計１００は、この閏秒補正値ＬＳの情報を受信し、ＧＰＳ時刻に対して閏秒補正値ＬＳを用いた補正をおこなうことで、協定世界時に準拠した時刻情報を取得する。第１８ページ目のフレームの第４サブフレームには、閏秒補正値ＬＳだけでなく、次回の閏秒更新予定日時を示す情報が含まれている。電波修正時計１００は、閏秒補正値ＬＳとともに、閏秒更新予定日時に関する情報を受信する。
【００５６】
また、アンテナ２０１は、所定の送信局から送信される標準電波を受信してもよい。標準電波は、標準時と周波数の国家標準または国際標準として政府や国際機関が放送している電波であって、たとえば、ＪＪＹなどの標準周波数報時局から送信され、タイムコードが重畳されている。
【００５７】
受信回路２０２は、アンテナ２０１によって受信された衛星信号を復号して、復号の結果得られる衛星信号の内容を示すビット列（受信データ）を出力する。具体的に、受信回路２０２は、高周波回路（ＲＦ回路）２０２ａとデコード回路２０２ｂとを含んで構成されている。高周波回路２０２ａは、高周波数で動作する集積回路であって、アンテナ２０１が受信したアナログ信号に対して増幅、検波をおこなって、ベースバンド信号に変換する。デコード回路２０２ｂは、ベースバンド処理をおこなう集積回路であって、高周波回路２０２ａが出力するベースバンド信号を復号してＧＰＳ衛星から受信したデータの内容を示すビット列を生成し、制御回路２０３に対して出力する。
【００５８】
制御回路２０３は、演算部２０３ａと、ＲＯＭ（Ｒｅａｄ  Ｏｎｌｙ  Ｍｅｍｏｒｙ）２０３ｂと、ＲＡＭ（Ｒａｎｄｏｍ  Ａｃｃｅｓｓ  Ｍｅｍｏｒｙ）２０３ｃと、ＲＴＣ（Ｒｅａｌ  Ｔｉｍｅ  Ｃｌｏｃｋ）２０３ｄと、モータ駆動回路２０３ｅと、を含んで構成されるマイクロコンピュータによって実現することができる。
【００５９】
演算部２０３ａは、ＲＯＭ２０３ｂに格納された各種の制御プログラムに従って各種の情報処理をおこなう。ＲＡＭ２０３ｃは、演算部２０３ａのワークメモリとして機能し、演算部２０３ａの処理対象となるデータが書き込まれる。ＲＴＣ２０３ｄは、演算部２０３ａに対して、電波修正時計１００内部での計時に使用されるクロック信号を出力する。
【００６０】
演算部２０３ａは、ＲＴＣ２０３ｄが出力したクロック信号に基づいて内部時刻を計時する。また、演算部２０３ａは、計時した内部時刻を、受信回路２０２によって受信された衛星信号に基づいて修正し、時刻表示部１０９に表示すべき時刻（表示時刻）を決定する。モータ駆動回路２０３ｅは、演算部２０３ａが決定した表示時刻に応じて、駆動機構２０９に対して駆動信号を出力する。
【００６１】
駆動機構２０９は、モータ駆動回路２０３ｅから出力される駆動信号に応じて動作するモータや輪列を含んで構成することができる。モータは、具体的には、たとえば、ステップモータによって実現することができ、モータ駆動回路２０３ｅから出力される駆動パルスに応じた正転（右回り）または逆転（左回り）の回転動作をおこなう。駆動機構２０９は、ステップモータの回転を、輪列を介して時刻指示針１０６に伝達することによって、当該時刻指示針１０６を回転させる。
【００６２】
駆動機構２０９において、モータは、一つであっても複数であってもよい。複数のモータを備える電波修正時計１００においては、たとえば、時刻指示針１０６を実現する時針、分針、秒針などを、それぞれ独立したモータによって独立して駆動することができる。この場合、モータおよび輪列は、時刻指示針１０６の数と同数設けられる。
【００６３】
複数のモータを備える電波修正時計１００においては、モータの数と時刻指示針１０６の数とが一致していなくてもよい。具体的には、たとえば、時刻指示針１０６のうち分針および秒針を１つめのモータによって駆動し、２つめのモータによって時刻指示針１０６のうち時針を駆動するようにしてもよい。この場合、モータおよび輪列は、時刻指示針１０６の数よりも少ない。電波修正時計１００においては、時刻指示針１０６として、時針、分針、秒針に加えて、日板を備えていてもよい。
【００６４】
電波修正時計１００においては、演算部２０３ａが決定した表示時刻に応じた駆動信号を駆動機構２０９に対して出力すると、モータが駆動され、当該モータに連結された輪列を介して時刻指示針１０６が回動する。これにより、時刻表示部１０９において、制御回路２０３によって生成された表示時刻を表示することができる。
【００６５】
電源２０４は、受信回路２０２や制御回路２０３など、電波修正時計１００が備える各部に電力を供給する。この実施の形態の電波修正時計１００において、電源２０４は、たとえば、リチウムイオン電池などの二次電池によって実現することができる。電源２０４としての二次電池は、化学エネルギーを電気エネルギーに変換（放電）することにより、電波修正時計１００が備える各部に電力を供給する電源２０４（化学電池）であって、放電に加えて、電気エネルギーを化学エネルギーに変換することにより蓄電（充電）することができる。
【００６６】
電源２０４は、ソーラーセル２０６（太陽電池）によって発電された電力を蓄積（蓄電）する。電波修正時計１００は、電源２０４の電圧値を検出する、図示を省略する電圧センサを備えている。電圧センサの出力値（電源２０４の電圧値）は、演算部２０３ａに出力される。
【００６７】
スイッチ２１０は、電源２０４から受信回路２０２への電力供給路の途中に設けられており、制御回路２０３から出力される制御信号にしたがってオン／オフが切り替えられる。電波修正時計１００においては、制御回路２０３によりスイッチ２１０のオン／オフを切り替えることにより、受信回路２０２の動作タイミングを制御することができる。受信回路２０２は、スイッチ２１０を介して電源２０４から電力が供給されている間だけ動作して、アンテナ２０１が受信した衛星信号の復号をおこなう。
【００６８】
ソーラーセル２０６は、文字板１０５の裏蓋側に配置されており、風防ガラス１０２を介して文字板１０５に入射する太陽光などの光によって発電し、発電した電力を電源２０４に出力する。昇圧部２０５は、制御回路２０３によって駆動制御され、ソーラーセル２０６が発電した電力における電圧を昇圧して電源２０４に出力する。昇圧部２０５は、たとえば、ＤＣ／ＤＣコンバータによって構成することができる。
【００６９】
スイッチ２１１は、ソーラーセル２０６から電源２０４への電力供給路の途中（ソーラーセル２０６と昇圧部２０５との間）に配置されている。スイッチ２１１は、制御回路２０３からの制御信号に応じて、ソーラーセル２０６の接続先を電源２０４（昇圧部２０５）または検出用抵抗値２０８に切り換える。
【００７０】
制御回路２０３は、電源２０４への蓄電をおこなう際は、ソーラーセル２０６と電源２０４とをスイッチ２１１を介して接続する。また、制御回路２０３は、ソーラーセル２０６の発電量を検出する際には、ソーラーセル２０６と電源２０４との接続を切り離し、ソーラーセル２０６と検出用抵抗値２０８とをスイッチ２１１を介して接続する。
【００７１】
発電検出制御部２０７は、スイッチ２１１および検出用抵抗値２０８を介してソーラーセル２０６に接続され、ソーラーセル２０６に接続されている状態において、ソーラーセル２０６の発電量を検出する。発電検出制御部２０７は、検出用抵抗値２０８を介して、ソーラーセル２０６から昇圧部２０５を介して電源２０４に流れる電流値を計測することにより、ソーラーセル２０６の発電量を検出する。
【００７２】
検出用抵抗値２０８は、並列接続された、抵抗値の異なる複数の抵抗を備えている。複数の抵抗には、それぞれスイッチが接続されている。発電検出制御部２０７は、いずれか一つの抵抗値に電流が流れるように各スイッチのオン／オフを切り換える。各スイッチは、それぞれ、一端が各抵抗に接続され、他端が電源２０４に接続されている。各スイッチは、オンされた状態で電源電圧（ＶＤＤ）が印加される。
【００７３】
発電によりソーラーセル２０６が出力する電流値は、ソーラーセル２０６が受ける光の量により変動する。発電検出制御部２０７は、発電量の検出に際して、ソーラーセル２０６と検出用抵抗値２０８とを接続した状態において、当該検出用抵抗値２０８におけるいずれか一つの抵抗のスイッチをオン状態とし、電源２０４の電圧値が、あらかじめ定められた検出閾値を上回るか下回るかを抵抗ごとに判断する。発電検出制御部２０７は、検出閾値を上回ると判断した場合に、「暗」を検出する。発電検出制御部２０７は、検出閾値を下回ると判断した場合に、「明」を検出する。
【００７４】
発電検出制御部２０７は、演算部２０３ａから出力された発電量の検出開始の指示信号を受け付けた場合、検出用抵抗値２０８におけるいずれか一つの抵抗に接続されたスイッチをオン状態とし、抵抗ごとに「明」か「暗」かを検出し、検出結果に基づいて、ソーラーセル２０６が出力する電流値（発電量）に応じたランク情報を出力する。
【００７５】
電波修正時計１００は、表示画面２１２および表示制御部２１３を備えていてもよい。表示画面２１２は、たとえば、ＬＣＤ（Ｌｉｑｕｉｄ  Ｃｒｙｓｔａｌ  Ｄｉｓｐｌａｙ）によって実現することができる。表示画面２１２は、ＬＣＤに代えて、有機ＥＬ（Ｅｌｅｃｔｒｏ  Ｌｕｍｉｎｅｓｃｅｎｃｅ）ディスプレイを用いてもよい。表示制御部２１３は、演算部２０３ａから出力される制御信号にしたがって、表示画面２１２を駆動制御する。表示画面２１２は、表示制御部２１３によって駆動制御されて、たとえば、発電量の積算値自体を表示する。
【００７６】
表示画面２１２は、発電量の積算値を直接表示するものに限らない。表示画面２１２は、発電量の積算値を直接表示することに代えて、あるいは加えて、たとえば、現状の発電量に基づき、充電が完了するまでにかかる時間（残り時間）を表示してもよい。また、表示画面２１２は、発電量の積算値を直接表示することに代えて、あるいは加えて、現状の電圧値（蓄電量）で、外部電波を受信することが可能な回数（受信回数）を表示するようにしてもよい。また、表示画面２１２は、受信する外部電波の種類ごとに、表示内容を変更してもよい。
【００７７】
電波修正時計１００は、ＬＥＤ、ＬＥＤ駆動回路、アラーム、アラーム駆動回路（いずれも図示を省略する）などを備えていてもよい。ＬＥＤ駆動回路は、ＬＥＤを駆動してバックライトとして表示画面を照明したり、警告光を出力したりする。ＬＥＤの代わりに、ＥＬ、ランプなどを用いてもよい。アラーム駆動回路は、アラームが搭載する図示を省略する圧電素子を駆動して、アラーム（ブザー）を出力する。アラーム駆動回路は、告知の種類によって、音の種類、高さ、音量などを変えて出力してもよい。
【００７８】
（電波修正時計１００の機能的構成）
つぎに、この発明にかかる実施の形態の電波修正時計１００の機能的構成について説明する。図３は、この発明にかかる実施の形態の電波修正時計の機能的構成を示す説明図である。図３において、この発明にかかる実施の形態の電波修正時計１００の各機能は、電波修正時計１００の全体の制御を司る制御部３００と、発電部３０１、蓄電部３０２、計時部３０３、表示部３０４、受信部３０５の各部とによって実現することができる。
【００７９】
発電部３０１は、光を受光して発電する。発電部３０１の機能は、ソーラーセル２０６によって実現することができる。そして制御部３００は、発電部３０１によって発電される発電量を検出する。発電量検出の機能は、図２における発電検出制御部２０７、検出用抵抗値２０８などによって実現することができる。
【００８０】
蓄電部３０２は、発電部３０１によって発電された電力を蓄電する。蓄電部３０３の機能は、図２における電源２０４などによって実現することができる。そして制御部３００は、蓄電部３０２の電圧値を検出することにより、蓄電部３０２の蓄電量を検出し、この蓄電量を蓄電部３０２の蓄電状況とする。電圧検出の機能は、たとえば、図２おいては図示を省略する電圧センサによって実現することができる。
【００８１】
計時部３０３は、前記蓄電部３０２によって蓄電された電力を用いて時刻を計時する。計時部３０３の機能は、たとえば、図２におけるＲＴＣ２０３ｄによって実現することができる。表示部３０４は、計時部３０３によって計時される時刻を表示する。表示部３０４の機能は、たとえば図２におけるモータ駆動回路２０３ｅおよび駆動機構２０９、または表示画面２１２および表示制御部２１３によって実現することができる。
【００８２】
制御部３００は、発電部３０１によって発電される電流を検出し、あらかじめ定められた複数の段階のうち、検出された電流の電流量に応じた段階を決定する。そして、表示部３０４は、操作部１０４などが操作されることによって操作指示があった場合に、制御部３００によって決定された段階に基づいて、発電状況を表示する。
【００８３】
表示部３０４は、時刻を表示する。表示部３０４の機能は、時刻表示部１０９および駆動機構２０９などによって実現することができる。また、表示部３０４の機能は、表示画面２１２および表示制御部２１３などによって実現してもよい。
【００８４】
表示部３０４は、同じ軸を中心として回動する複数の指針（たとえば、図１における時刻指示針１０６（時針１０６ａ、分針１０６ｂ、秒針１０６ｃ））を備えており、検出された電流の電流量に応じた段階に対応する所定の位置（たとえば、発電量表示部１１４ａ〜１１４ｆ）へ、当該複数の指針のうちの少なくともいずれかの指針を移動させることによって、発電状況を表示する。したがって、所定の位置へ移動させるのは、時針１０６ａ、分針１０６ｂ、秒針１０６ｃのいずれか１つでもよく、時針１０６ａ、分針１０６ｂ、秒針１０６ｃのいずれか２つの組み合わせでもよく、時針１０６ａ、分針１０６ｂ、秒針１０６ｃの３つ全てであってもよい。
【００８５】
表示部３０４は、複数の指針（時刻指示針１０６）のうちの少なくとも２つの指針を所定の位置（たとえば、発電量表示部１１４ａ〜１１４ｆ）へ移動させて重ねることによって、発電状況を表示することが好ましい（後述する図６、図７を参照）。このように、少なくとも２つの指針を所定の位置において重ねることによって、通常の時刻表示とは指針の位置が異なり通常の時刻表示として見た場合に不自然な位置を指針が指し示すことから、使用者は一目で（通常の時刻ではなく）発電量を示していることを認識できるとともに、時刻表示との見間違いを防止することができる。
【００８６】
また、表示部３０４は、複数の指針のうちの少なくとも２つの指針を所定の位置（たとえば、発電量表示部１１４ａ〜１１４ｆ）とは別の位置（基準位置、たとえば、正午（１２時）の位置）において重ねた後、当該別の位置（基準位置）から指針を重ねた状態で当該所定の位置へ移動させることによって、発電状況を表示するようにしてもよい（後述する図８を参照）。このように、発電状況の表示に先だって指針を基準位置に集合させることにより、指針を基準位置に集合させた際に基準位置の確認をおこなうことができる。
【００８７】
なお、指針（時刻指示針１０６）を重ねるに当たり、各指針ごとに減速比が異なる（たとえば、通常、時針１０６ａは３６０〜７２０秒／周であり、分針１０６ｂは３６０秒／周であり、秒針１０６ｃは６０秒／周である）。したがって、運針周期を秒針１０６ｃ＞分針１０６ｂ≧時針１０６ａとすることにより、重ねた状態で同じ速度で移動させることができる。
【００８８】
また、表示部３０４は、発電状況を表示する指針（時刻指示針１０６）の所定の位置への移動を、制御部３００によって検出された電流の電流量に応じた移動速度によっておこなわせるようにしてもよい。たとえば、検出された電流の電流量が大きいほど、移動速度を速くする。これによって、指針が早く動くことで、そのパワー感を示し、そのパワー感によって発電量が大きいことを使用者に直感的に知らしめることができる。また、その逆でもよい。指針１０６がゆっくりと動くことで、トルク感を示し、そのトルク感によって発電量が大きいことを使用者に直感的に知らしめるようにしてもよい。指針の移動は、全ての指針を同一の速度でおこなわせてもよく、指針ごとに速度を変えておこなわせてもよい。
【００８９】
また、表示部３０４は、インジケーター１１０および機能指示針１１３を備えることなくあるいはインジケーター１１０および機能指示針１１３を使用することなく、発電状況を表示する指針を所定の方向（たとえば時計回り）に回動して所定の位置へ移動させることによる発電状況の表示に先だって、当該指針を当該所定の方向とは逆の方向（反時計回り）に回動して当該所定の位置（発電量表示部１１４）とは異なる位置（たとえば文字板の左半分の領域）へ移動させることによって、蓄電部３０２の蓄電状況を表示するようにしてもよい（後述する図９を参照）。
【００９０】
また、表示部３０４は、蓄電部３０２の蓄電状況を表示する、発電状況を表示する指針（たとえば時刻指示針１１６）とは別の軸により回動する別の指針（たとえば図１に示した機能指示針１１３）を備えており、図１に示したように、所定の位置（発電量表示部１１４）は、発電状況を表示する指針が、当該別の指針による表示領域と重ならない領域に設けるようにしてもよい。
【００９１】
そして、所定の位置（発電量表示部１１４）は、検出された電流の電流量が小さい段階から大きい段階へ所定の回動方向（たとえば時計回り）に順次設けられる。表示部３０４は、別の指針（機能指示針１１３）を、蓄電部３０２における蓄電量が大きい段階から小さい段階へ所定の回動方向と同じ方向（時計回り）に順次設けられた位置（１１２ａ〜１１２ｅ）へ移動させることにより、蓄電部３０２の蓄電状況を表示するようにしてもよい（後述する図１１を参照）。
【００９２】
受信部３０５は、ＧＰＳ信号を含む電波あるいは標準電波を受信する。受信部３０５の機能は、たとえば図２におけるアンテナ２０１および受信回路２０２などによって実現することができる。そして、制御部３００は、決定した段階が所定の段階（たとえば、発電量がレベル６）である場合に、使用者からの指示を待たずに、自動的に受信部３０５による電波の受信処理をおこなうようにしてもよい（後述する図４を参照）。
【００９３】
（発電状況表示処理の手順）
つぎに、発電状況表示処理の手順について説明する。図４は、発電状況の表示にかかる制御部の処理手順を示すフローチャートである。図４のフローチャートにおいて、所定のタイミングになったか否かを判断する（ステップＳ４０１）。所定のタイミングとは、たとえば、あらかじめ定められた日時や一定間隔に達した場合であってもよい。また、使用者による所定の操作指示（後述するステップＳ４０８における操作指示を含む）があった場合でもよい。
【００９４】
ステップＳ４０１において、所定のタイミングではない場合（ステップＳ４０１：Ｎｏ）は、ステップＳ４０８へ移行する。一方、ステップＳ４０１において、所定のタイミングになった場合（ステップＳ４０１：Ｙｅｓ）は、発電されている電流を検出する（ステップＳ４０２）。そして、あらかじめ定められた複数の段階のうち検出された電流の電流量に応じた段階を決定し（ステップＳ４０３）、決定された段階情報を前回のものから更新する（ステップＳ４０４）。
【００９５】
図５は、発電量レベルに関するテーブルの一例を示す説明図である。図５において、テーブル５００は、複数の段階の一例として、レベルＬ６〜Ｌ１の６段階とし、各レベルごとに、明るさ（ルクス）と、その環境の目安とを関連付けしている。このテーブル５００は、たとえば、図２に示したＲＯＭ２０３ｂに格納されている。なお、電流量は明るさに比例する。レベルが最も高いレベルＬ６は、晴天時の屋外の明るさであり、１００，０００ルクス以上を示している。レベルが最も低いレベルＬ１は、略０ルクス（発電なし）を示している。テーブル５００は一例であり、複数の段階は別の基準（たとえば電流量に基づく基準）によって分類してもよい。
【００９６】
つぎに、ステップＳ４０３において決定された段階が所定の段階であるか否かを判断する（ステップＳ４０５）。本実施の形態においては、所定の段階は「Ｌ６」である。ここで、所定の段階でない場合（ステップＳ４０５：Ｎｏ）は，ステップＳ４０８へ移行する。一方、所定の段階である場合（ステップＳ４０５：Ｙｅｓ）は、つぎに、所定の条件を満たすか否かを判断する（ステップＳ４０６）。ここで、所定の条件とは、たとえば、使用者の許可があった場合や、所定の時間帯である場合など１つまたは複数の条件をすべて満たす場合である。
【００９７】
ステップＳ４０６において、所定の条件を満たさない場合（ステップＳ４０６：Ｎｏ）は，ステップＳ４０８へ移行する。一方、所定の条件を満たす場合（ステップＳ４０６：Ｙｅｓ）は、電波の受信処理を実行する（ステップＳ４０７）。このように、所定の段階である場合は、電波の受信に必要な電源を十分に確保でき、屋外である可能性が高く、屋外であれば通常、電波の受信状況もよいため、確実に受信処理を実行することができる。そして、受信処理中は、時刻指示針１０６のいずれか、または、図示を省略する専用の指針によって、図１に示したマーカー１０８のうちの衛星信号の受信中であることを示す「ＲＸ」を指し示すようにしてもよい。
【００９８】
その後、使用者によって発電状況を表示する操作指示があったか否かを判断する（ステップＳ４０８）。ここで、操作指示がない場合（ステップＳ４０８：Ｎｏ）は、ステップＳ４０１へ戻って、ステップＳ４０１〜Ｓ４０８の処理を繰り返し実行する。一方、操作指示があった場合（ステップＳ４０８：Ｙｅｓ）は、ステップＳ４０４において更新された段階情報に基づいて、発電状況を表示する（ステップＳ４０９）。発電状況を表示中は、時刻指示針１０６のいずれか、または、図示を省略する専用の指針によって、図１に示したマーカー１０８のうちのアンテナによる衛星信号のたとえば前回の受信処理の成否を示す「ＮＯ」や「ＯＫ」を指し示すようにしてもよい。その後、ステップＳ４０１へ戻る。このようにして、発電状況表示処理を繰り返し実行する。
【００９９】
（発電状況表示の内容）
つぎに、発電状況表示の具体的な内容について説明する。図６〜図９は、この発明にかかる実施の形態の電波修正時計の発電状況表示の内容を示す説明図である。図６のＡは、通常時刻表示の状態を示している。時刻表示針１０６（時針１０６ａ、分針１０６ｂ、秒針１０６ｃ）によって時刻（１時５０分２３秒）が表示されている。
【０１００】
図６のＢは、使用者によって発電状況表示の操作指示がおこなわれた状態を示している。操作指示があると、各指針は、所定の位置（３時の位置）へ最短で移動できる方向に回動する。具体的には、時針１０６ａおよび分針１０６ｂは時計回りに、秒針１０６ｃは反時計回りに回動して、３時の位置へ移動を開始する。
【０１０１】
図６のＣは、発電状況表示が完了した状態を示している。時針１０６ａおよび分針１０
６ｂ、秒針１０６ｃが３時の位置で重なって停止している。これによって、レベルＬ３の
発電量であることを示している。通常時刻表示において、３時の位置で３つの指針が完全
に重なることはないので、３つの指針がこの状態で時刻表示と見間違うことはない。
【０１０２】
各指針は、所定の位置において停止した状態を所定時間（たとえば１０秒）保持し、所
定時間が経過した後、オートリターンにより、移動して通常時刻表示の状態に戻るように
してもよい。また、オートリターンが行われる前に、操作部１０４による所定の操作があ
った場合に、移動して通常時刻表示の状態に戻るようにしてもよい。
【０１０３】
また、オートリターン機能を有さず、各指針は、操作部１０４による所定の操作がある
まで、所定の位置において停止した状態を保持する。そして、所定の操作があった場合に
、移動して通常時刻表示の状態に戻るようにしてもよい。その際、各指針が所定の位置に
おいて停止した状態を保持したまま、発電量モニターを自動で継続する。具体的には、た
とえば所定のタイミングで図４のフローチャートの電流検出（ステップＳ４０２）、段階
決定（ステップＳ４０３）、段階情報更新（ステップＳ４０４）の各処理を繰り返し実行
し、その都度、ステップＳ４０９の発電状況の表示を実行する。
【０１０４】
このようにすることによって、段階情報が更新される度に、発電量表示部１１４を指し
示す時刻指示針１０６の位置が変更されるので、使用者は、時刻指示針１０６の指し示す
位置を見ながら自ら移動し、発電状況が最適な位置を容易に探すことができる。時刻指示
針１０６の指し示す位置が最適になったら、所定時間後オートリターンにより通常時刻表
示状態に戻るようにしてもよい。
【０１０５】
また、各指針が所定の位置において停止した状態を保持したまま、充電量モニターを自
動で継続するようにしてもよい。充電量モニター時は、ほとんど指針が停止しているので
、事実上パワーセーブ状態であり、指針を運針することによる通常時刻表示の状態よりも
充電を効率よくおこなうことができる。充電量モニターは、充電を促すのが目的なので、
充電が完了したら（あるいは所定量充電できたら）、オートリターンにより通常時刻表示
状態に戻るようにしてもよい。このように、充電が完了したら自動で時計機能が動き出す
ような構成にすることによって、使用者は、指針が止まっているときは充電中であり、指
針が動き出したら使用可能な状態になったということを感覚的に把握することができ、使
用者にとっては使い勝手がよい。
【０１０６】
図６では、各指針は所定の位置へ最短で移動したが、図７では、すべて時計回りで回動
して所定の位置（２時の位置）へ移動する。図７のＡは、図６のＡと同様に、通常時刻表
示の状態を示している。時刻表示針１０６（時針１０６ａ、分針１０６ｂ、秒針１０６ｃ
）によって時刻（１時５０分２３秒）が表示されている。
【０１０７】
図７のＢは、使用者によって発電状況表示の操作指示がおこなわれた状態を示している
。操作指示があると、各指針は、所定の位置（２時の位置）へすべて時計回りに回動して
、２時の位置へ移動を開始する。
【０１０８】
図７のＣは、発電状況表示が完了した状態を示している。時針１０６ａおよび分針１０
６ｂ、秒針１０６ｃが２時の位置で重なって停止している。これによって、レベルＬ２の
発電量であることを示している。また、図示は省略するが、図７とは反対にすべて反時計
回りに回動して所定の位置へ移動して重なるようにしてもよい。また、図示は省略するが
、３つの指針すべてを同一方向に移動させて重ねる代わりに、３つの指針のうちのいずれ
か２つ（たとえば時針１０６ａ、分針１０６ｂ）のみを時計回りまたは反時計回りに移動
させて重ねるようにして、残りの１つ（たとえば秒針１０６ｃ）だけは２つとは反対方向
に回動させるようにしてもよい。なお、通常時刻表示への各指針の復帰に関しては図６の
場合と同様である。
【０１０９】
図８のＡは、図６のＡ、図７のＡと同様に、時刻表示針１０６（時針１０６ａ、分針１
０６ｂ、秒針１０６ｃ）によって通常時刻表示の状態（１時５０分２３秒）を示している
。
【０１１０】
図８のＢは、使用者によって発電状況表示の操作指示がおこなわれた状態を示している
。操作指示があると、各指針は、所定の位置とは別の位置（１２時の位置）へ最短で移動
できる方向に回動する。具体的には、分針１０６ｂは時計回りに、時針１０６ａおよび秒
針１０６ｃは反時計回りに回動して、１２時の位置へ移動を開始する。この際、すべての
指針が時計回りに回動して、１２時の位置へ移動してもよく、反対に、すべて指針が反時
計回りに回動して、１２時の位置へ移動してもよい。また、３つの指針すべてを同一方向
に移動させて１２時の位置へ移動させる代わりに、３つの指針のうちのいずれか２つ（た
とえば時針１０６ａ、分針１０６ｂ）のみを時計回りまたは反時計回りに回動させて、残
りの１つ（たとえば秒針１０６ｃ）だけは２つとは反対方向に回動させて移動させてもよ
い。
【０１１１】
図８のＣは、３つの指針が１２時の位置で重なって一旦停止した状態を示している。こ
の状態で所定時間（たとえば１〜２秒程度）停止する。この所定時間は、発電される電流
量を検出し、電流量に応じた段階を決定するのに要する時間に対応させるようにするとよ
い（その理由は後述する）。図８のＤは、１２時の位置から時針１０６ａおよび分針１０
６ｂ、秒針１０６ｃの３つの指針が重なった状態で所定の位置（５時の位置）へ移動して
、５時の位置で停止して、発電状況表示が完了した状態を示している。これによって、レ
ベルＬ５の発電量であることを示している。
【０１１２】
このように、所定の位置とは別の位置（１２時の位置）から、３つの指針が重なった状
態で発電量表示位置へ移動することによって、指針が通常の動きとは異なる目立つ動きを
するので、使用者がより確実に発電状況を認識することができる。また、あらかじめ段階
情報が更新されておらず、使用者による操作指示があってから発電量を検出して段階を決
定する場合に、一旦、別の位置（１２時の位置）に移動させてから、所定の位置（５時の
位置）へ移動させる方法は有効である。
【０１１３】
すなわち、電流の検出から段階の決定までに要する時間を調整することができ、所定の
位置まで指針が移動するのに要する時間が長くかかることに対する使用者の違和感を緩和
することができる。また、ソーラーセル２０６が配置されていない領域へ指針を退避させ
ることによって、指針が重なる領域の影響を受けることなく、より精度の高い電流量を検
出することができる。
【０１１４】
別の位置は１２時の位置としたが、それには限定されない。たとえば、レベルＬ１の位
置、すなわち別の位置を１時の位置としてもよい。このようにすることによって、最初に
０ルクスを示し、徐々に明るさが増していって、発電量表示位置を指し示すイメージを使
用者に与えることができる。なお、通常時刻表示への各指針の復帰に関しては図６の場合
と同様である。
【０１１５】
図９のＡは、図６のＡ、図７のＡ、図８のＡと同様に、時刻表示針１０６（時針１０６
ａ、分針１０６ｂ、秒針１０６ｃ）によって通常時刻表示の状態（１時５０分２３秒）を
示している。この状態で、使用者による所定のボタン操作がなされると、図９のＢに示す
ように、時針１０６ａおよび分針１０６ｂ、秒針１０６ｃがすべて１０時の位置に移動し
て重なって停止する。この状態により蓄電状況を表示する。図示は省略するが、文字板の
左半分の所定の位置において、蓄電状況を段階的に表示する。
【０１１６】
その後、使用者による更なる所定のボタンの操作がなされると、図９のＣに示すように
、１０時の位置に重なって停止していた時針１０６ａおよび分針１０６ｂ、秒針１０６ｃ
が重なった状態のままで、時計回りに４時の位置まで回動し、停止する。これによって、
レベルＬ４の発電量であることを示している。
【０１１７】
このように、機能表示針１１３を用いることなく、時刻表示針１０６のみで蓄電状況お
よび発電状況の両方を表示することができる。また、蓄電状況表示をしている状態におい
て、ボタン操作することなく、所定の時間（３〜５秒）経過後に、自動的に時計回りに４
時の位置まで回動するようにしてもよい。なお、通常時刻表示への各指針の復帰に関して
は図６の場合と同様である。
【０１１８】
また、図示は省略するが、蓄電状態を表示した状態で、３つの指針すべてを時計回りに
回動させて４時の位置へ移動させる代わりに、３つの指針のうちのいずれか２つ（たとえ
ば時針１０６ａ、分針１０６ｂ）のみを時計回りまたは反時計回りに４時の方向へ回動さ
せて、残りの１つ（たとえば秒針１０６ｃ）だけは１０時の位置に停止したままの状態と
してもよい。２つとは反対方向に回動させて移動させてもよい。これによって、（秒針１
０６ｃによる）蓄電状況と、（時針１０６ａおよび分針１０６ｂによる）発電状況とを同
時に表示することができる。
【０１１９】
（発電量表示部１１４の配置）
図１０は、この発明にかかる実施の形態の電波修正時計のアンテナおよびソーラーセル
と発電量表示部の配置の関係を示す説明図である。図１０に示すように、文字板１０５と
重なる大部分の領域には、ソーラーセル２０６が設けられている。インジケーター１１０
が配置された領域にもソーラーセル２０６が設けられている。ただし、１２時の位置の矩
形の切り欠き部分にはソーラーセル２０６は設けられていない。この切り欠き部分には、
アンテナ２０１が配置される。
【０１２０】
したがって、決定した段階が所定の段階（レベルＬ６）であって、受信部３０５による
電波の受信処理をおこなう場合であっても、所定の段階を示す所定の位置（６時の位置）
は、受信部３０５による電波の受信領域、すなわちアンテナ２０１が配置された位置と重
ならない領域に設けている。このようにすることで、アンテナ２０１と指針とが重なるこ
とによる電波受信の感度の低下を防止し、より確実に電波受信処理を実現することができ
る。
【０１２１】
また、発電量表示部１１４は、指針が指し示した場合に、文字板１０５の左下領域に設
けられたインジケーター１１０と重ならない位置、すなわち、文字板１０５の略右半分に
配置している。これにより、指針によってインジケーター１１０の表示内容の視認性を阻
害しないようにすることができる。
【０１２２】
また、図８における、指針を集合させる別の位置（１２時の位置）を、光を受光する受
光領域と重ならない領域に設けている。すなわち、図１０からもわかるように１２時の位
置にはソーラーセル２０６は配置されていない。上述のように、使用者による操作指示が
あってから発電量を検出して段階を決定する場合に、一旦、別の位置（１２時の位置）に
移動させて、発電量を検出している間、指針とソーラーセル２０６との重なりを少なくす
る。これによって、指針とソーラーセル２０６とが重なることにより受け得る影響（受光
量強いては電流量が変化してしまうこと）を減らして、より正確な発電量を検出すること
ができる。
【０１２３】
（蓄電状況表示と発電状況表示との関係）
つぎに、蓄電状況表示と発電状況表示との関係について説明する。図１１は、この発明
にかかる実施の形態の電波修正時計の蓄電状況表示と発電状況表示との関係を示す説明図
である。
【０１２４】
図１１のＡにおいて、機能指示針１１３によって「Ｌ３」の区間表示部１１２ｂが指し
示されており、時刻指示針１０６によってレベル２の発電量表示部１１４ｂが指し示され
ている。この状態では、発電量は少ないが、蓄電量が十分確保できているので、衛星電波
の受信が可能である。また、図１１のＢにおいて、機能指示針１１３によって「ＣＨＧ」
の区間表示部１１２ｅが指し示されており、時刻指示針１０６によってレベル５の発電量
表示部１１４ｅが指し示されている。この状態では、蓄電量は少ないが、発電量が十分確
保できているので、図１１のＡの状態と同様に、衛星電波の受信が可能である。
【０１２５】
図１１のＡ、図１１のＢのいずれも、発電量表示部１１４を指し示す時刻指示針１０６
と区間表示部１１２を指し示す機能指示針１１３の角度がほぼ同じになるように設定して
いる。すなわち、発電量表示部１１４は、検出された電流の電流量が小さい段階から大き
い段階へ所定の回動方向（たとえば時計回り）に順次設けられ、区間表示部１１２は、そ
の反対に蓄電部３０２における蓄電量が大きい段階から小さい段階へ所定の回動方向と同
じ方向（時計回り）に順次設けられている。
【０１２６】
このように設定することによって、発電量表示部１１４を指し示す時刻指示針１０６の
角度と、区間表示部１１２を指し示す機能指示針１１３の角度とがほぼ同じになっている
場合は、ＧＰＳ信号を含む電波の受信が可能であることを使用者が瞬時にかつ感覚的に認
識することができる。また、使用者は、両者の指し示す角度が異なる場合は、ＧＰＳ信号
を含む電波の受信ができないことを認識し、両者の指し示す角度がほぼ一致するような環
境に移動するなどして、受信のための環境を容易に調整することができるようになる。す
なわち、移動して最適な環境を見つけ出す場合、時刻表示針１０６が指し示す角度と、機
能指示針１１３の指し示す角度の違いに着目するだけでよく、容易かつ確実に最適な環境
を見つけ出すことができる。
【０１２７】
また、機能指示針１１３が電圧低下を示す方向と、発電量が大きい方向とを一致させる
ことにより、たとえば電圧低下を示す「ＣＨＧ」の区間表示部１１２ｅを指し示している
ときは、発電量も同じ方向を指し示すようなところに移動することを、使用者に促すこと
ができる。
【０１２８】
また、図示を省略するが、インジケーター１１０を構成する機能指示針１１３が２つ以
上ある場合は、それら２つ以上の機能指示針１１３を、図６〜図９に示した時刻指示針１
０６の動きと同様に、重ね合わせて区間表示部１１２を指し示すことにより、蓄電状況を
表示するようにしてもよい。
【０１２９】
また、図示は省略するが、時刻指示針１０６に代えて、２つ以上の機能指示針１１３を
、図６〜図９に示した時刻指示針１０６の動きと同様に、重ねて所定の位置へ移動させる
ことで、発電状況を表示するようにしてもよい。その際、時刻指示針１０６は、通常時刻
を表示していてもよく、また、通常時刻以外の他の情報を表示するのに用いてもよい。
【０１３０】
また、機能指示針１１３を、時刻指示針１０６とともに、発電状況を表示させるのに用
いてもよい。その際、それぞれが同じ発電状況を表示してもよい。これにより、発電状況
の表示に関して、より強い印象を使用者に与えることができる。また、発電状況について
の異なる情報、たとえば、操作指示直後の発電状況と、所定時間経過後の発電状況をそれ
ぞれが同時に表示することによって、その変化を使用者に認識させることなどが可能とな
る。このように、時刻指示針１０６と機能指示針１１３が互いに補完することによって、
使用者にとってより分かりやすい発電状況の表示を実現するようにしてもよい。
【０１３１】
時刻指示針１０６に代えて機能指示針１１３を用いて発電状況を表示する場合、インジ
ケーター１１０を構成する例で説明したが、これには限定されない。たとえば、図示を省
略するクロノグラフ用指針など適宜の機能を表示する指針を用いても発電状況を表示する
ようにしてもよい。また、時刻指示針１０６、機能指示針１１３に代えてあるいは時刻指
示針１０６、機能指示針１１３とともに、図２に示した表示画面２１２を用いて発電状況
を表示するようにしてもよい。
【０１３２】
（時刻指示針の形状の一例）
つぎに、時刻指示針１０６の形状の一例について説明する。図１２は、この発明にかか
る実施の形態の電波修正時計の時刻指示針の形状の一例を示す説明図である。図１２のＡ
は通常時刻表示状態であり、図１２のＢは発電状況表示状態である。図１２のＡにおいて
、時針１０６ａの先端部分１２０１ａ、分針１０６ｂの途中部分１２０１ｂの形状および
色彩に特徴がある。また、秒針１０６ｃの途中部分１２０１ｃの色彩にも特徴がある。
【０１３３】
図１２のＢに示すように、これら３つの時刻指示針１０６が重なった場合、重なった時
刻指示針１０６の途中部分に、時刻指示針１０６の他の部分とは異なる色彩（たとえば赤
色、黄色またはオレンジ色）の円形形状１２０１が形成される。これはたとえば、太陽を
デザインしたものであり、太陽光による発電をイメージしたものである。時刻表示針１０
６が互いに重なることによって形成される形状は、それに限らず、衛星電波をイメージす
る星型であったり、他の形状、色彩あるいは模様であってもよい。また、３つの時刻指示
針１０６のうちのいずれか２つによって所定の形状を形成するようにしてもよい。
【０１３４】
このように、時刻指示針１０６が重なった場合にのみ所定の形状を形成させて発電状況
表示であることを確実にかつ感覚的に使用者に知らしめることができる。また、図示を省
略するが、インジケーター１１０を構成する機能指示針１１３が２つ以上ある場合に、そ
れら２つ以上の機能指示針１１３が、図１２に示した時刻指示針１０６の形状と同様に、
重なった場合にのみ所定の形状を形成させるようにしてもよい。
【０１３５】
以上説明したように、この発明にかかる実施の形態の電子機器を実現する電波修正時計
１００は、制御部３００が、発電部３０１によって発電される電流を検出し、あらかじめ
定められた複数の段階のうち、検出された電流の電流量に応じた段階を決定し、表示部３
０４が、操作指示があった場合に、制御部３００によって決定された段階に基づいて、発
電部３０１による発電状況を表示する。これにより、使用者に対して、明るさ（光の強さ
）を示す発電量を直感的に知らしめ、効率的かつ直感的な充電をおこなわせることができ
る。
【０１３６】
また、この発明にかかる実施の形態の電子機器を実現する電波修正時計１００は、表示
部３０４が、時刻を表示する、同じ軸を中心として回動する複数の時刻指示針１０６を備
えており、検出された電流の電流量に応じた段階に対応する所定の位置（発電量表示部１
１４）へ、複数の指針のうちの少なくともいずれかの指針を移動させることによって、発
電状況を表示する。これにより、時刻指示針１０６が、一時的に時刻表示を止めて発電量
表示をおこなうので、使用者に対して確実かつ直感的に発電量を直感的に知らしめること
ができる。
【０１３７】
また、この発明にかかる実施の形態の電子機器を実現する電波修正時計１００は、複数
の指針のうちの少なくとも２つの時刻指示針１０６を所定の位置へ移動させて重ねるため
、通常の時刻表示とは異なった表示となるため、通常の時刻表示と見間違われることなく
、より確実に使用者に対して発電量を知らしめることができる。
【０１３８】
また、この発明にかかる実施の形態の電子機器を実現する電波修正時計１００は、前記
複数の指針のうちの少なくとも２つの時刻指示針１０６を所定の位置とは別の位置（基準
位置（１２時の位置））において重ねた後、当該別の位置から重ねた状態で当該所定の位
置へ移動させることによって、時刻指示針１０６が通常の時刻表示ではあり得ない動きを
することから、使用者の目を引き、より確実に使用者に対して発電量を知らしめさせるこ
とができる。また、発電量の段階を決定するまでの時間調整をすることができる。
【０１３９】
また、この発明にかかる実施の形態の電子機器を実現する電波修正時計１００は、別の
位置（基準位置）を、重ねられた時刻指示針１０６が、光を受光する受光領域（ソーラー
セル２０６が配置された領域）と重ならない領域に設けることによって、時刻指示針１０
６が重なることによって、発電量の検出に影響を及ぼさないようにすることができる。
【０１４０】
また、この発明にかかる実施の形態の電子機器を実現する電波修正時計１００は、発電
状況を表示する少なくとも２つの指針が、互いに重なることによって所定の形状１２０１
を形成することによって、より確実に使用者に対して発電量を知らしめさせることができ
る。
【０１４１】
また、この発明にかかる実施の形態の電子機器を実現する電波修正時計１００は、発電
状況を表示する時刻指示針１０６の発電量表示部１１４への移動を、検出された電流の電
流量に応じた移動速度によっておこなわせることによって、時刻指示針１０６の移動速度
（回動速度）から、使用者に対して発電量を直感的に知らしめることができる。
【０１４２】
また、この発明にかかる実施の形態の電子機器を実現する電波修正時計１００は、蓄電
部３０２の蓄電状況を表示するインジケーター１１０および機能指示針１１３を備えてお
り、発電量表示部１１４を指し示す時刻指示針１０６が、インジケーター１１０の領域と
重ならない領域に設ける。これによって、インジケーター１１０および機能指示針１１３
による蓄電量の表示が阻害されることがない。
【０１４３】
また、この発明にかかる実施の形態の電子機器を実現する電波修正時計１００は、発電
量表示部１１４が、検出された電流の電流量が小さい段階から大きい段階へ所定の回動方
向に順次設けられ、区間表示部１１２が蓄電量が大きい段階から小さい段階へ所定の回動
方向と同じ方向に順次設けられることによって、ＧＰＳ信号を含む電波が受信可能である
か否かを、使用者に対して、瞬時にかつ感覚的に認識させることができる。
【０１４４】
また、この発明にかかる実施の形態の電子機器を実現する電波修正時計１００は、時刻
指示針１０６による発電状況の表示に先だって、時刻指示針１０６で蓄電状況の表示をす
ることによって、インジケーター１１０および機能指示針１１３を設ける必要がない。あ
るいは、インジケーター１１０および機能指示針１１３を使用しなくてもよい。
【０１４５】
また、この発明にかかる実施の形態の電子機器を実現する電波修正時計１００は、決定
した段階が所定の段階（たとえば、最高レベルであるレベルＬ６）である場合に、受信部
による電波の受信処理を自動的におこなうことにより、確実に電波の受信処理を実行でき
るとともに、電波の受信処理の操作指示を使用者におこなわせることなく（使用者を煩わ
せることなく）効率的な電波の受信処理が可能となる。
【０１４６】
また、この発明にかかる実施の形態の電子機器を実現する電波修正時計１００は、自動
受信処理をおこなう際の時刻指示針１０６の発電量表示部１１４における停止位置が、ア
ンテナ２０１が配置された基準位置と重ならないようにすることにより、時刻指示針１０
６の存在が影響を与えることなく、確実に受信処理を実行することができる。
【産業上の利用可能性】
【０１４７】
以上のように、この発明にかかる電子機器は、ソーラーセルや二次電池を備えた電子機
器に有用であり、特に、ＧＰＳ信号を含む電波を受信する電子機器に適している。
【符号の説明】
【０１４８】
１００  電波修正時計
１０４  操作部
１０５  文字板
１０６  時刻指示針
１１０  インジケーター
１１１  目盛り
１１２  区間表示部
１１３  機能指示針
１１４  発電量表示部
１１５  帯表示
２０６  ソーラーセル
３００  制御部
３０１  発電部
３０２  蓄電部
３０３  計時部
３０４  表示部
３０５  受信部
【図１】
2018100981.tif 000003
【図２】
2018100981.tif 000004
【図３】
2018100981.tif 000005
【図４】
2018100981.tif 000006
【図５】
2018100981.tif 000007
【図６】
2018100981.tif 000008
【図７】
2018100981.tif 000009
【図８】
2018100981.tif 000010
【図９】
2018100981.tif 000011
【図１０】
2018100981.tif 000012
【図１１】
2018100981.tif 000013
【図１２】
2018100981.tif 000014